(57)【要約】      （修正有）【課題】吸着部材等を用いることなく設置面に設置でき、利便性にも優れたパネル取付装置を提供する。【解決手段】パネル取付装置１０は、ガスコンロ１の下に配される受け皿１２と、断面視略Ｌ字状であり、受け皿に取り付けられる底板部とガスコンロ周りに立ち上がる立ち上がり部とを有する取付金具２２と、一方に開口を有し、その内部に収容空間が形成され、収容空間が開口からその奥部にかけて狭まる形状であり、立ち上がり部に取り付けられる金属ケース２４と、収容空間内に収容される楔状のクリップ２６と、長方形状の板状であり、下端部が金属ケース２４の収容空間内に挿し立てられるとともに残部が開口からその上方へはみ出る支持板２８と、を備え、支持板の前面にアルミパネル２が宛がわれた状態でアルミパネルの下端がクリップ２６と支持板２８の前面との間に挟持される。【選択図】図１
0003189064.tif 000002
【実用新案登録請求の範囲】
【請求項１】
コンロ周りに配され、前記コンロからの油はねを防止するパネルを取り付けるためのパネル取付装置であって、
前記コンロの下に配され、浅皿状をなす受け皿と、
断面視略Ｌ字状をなし、前記受け皿に取り付けられる底板部と、該底板部から前記コンロ周りに立ち上がる立ち上がり部と、を有するＬ字状部材と、
一方に開口を有し、その内部に収容空間が形成されたケース部材であって、前記収容空間が前記開口からその奥部にかけて狭まる形状とされ、前記開口が上方に向けられた状態で少なくともその一つの側壁が前記立ち上がり部に取り付けられるケース部材と、
前記ケース部材の前記収容空間内に収容される楔状の弾性片と、
長方形状の板状をなし、その長辺方向が上下方向に沿った姿勢でその一端部が前記ケース部材の前記収容空間内に挿し立てられるとともに残部が前記開口からその上方へはみ出るものとされる支持板と、を備え、
前記支持板の一方の板面に前記パネルが宛がわれた状態で前記パネルの下端が前記弾性片と前記支持板の一方の板面との間に挟持されることを特徴とするパネル取付装置。
【請求項２】
前記支持板の他方の板面に対して上下方向に摺動自在に取り付けられる支持棒をさらに備え、
前記支持棒の上端に、前記支持板に宛がわれた前記パネルの上端を係止する係止部が設けられていることを特徴する請求項１に記載のパネル取付装置。
【請求項３】
前記ケース部材の対向する２つの側壁の上端縁に、上方に開口する切り欠きが設けられ、
前記パネルは、その下端が切り欠き内に挿し立てられた状態で前記弾性片と前記支持板との間に挟持されることを特徴とする請求項１または請求項２に記載のパネル取付装置。
【請求項４】
前記ケース部材に取り付けられるとともに前記支持板が上下方向に摺動することを規制する規制部材を備える請求項１から請求項３のいずれか１項に記載のパネル取付装置。
【請求項５】
前記受け皿は、平面に視た大きさが前記コンロよりも大きく、その板面上に前記コンロが載置されることを特徴とする請求項１から請求項４のいずれか１項に記載のパネル取付装置。
【考案の詳細な説明】
【技術分野】
【０００１】
本考案は、コンロ周りに配され、コンロからの油はねを防止するパネルを取り付けるためのパネル取付装置に関する。
【背景技術】
【０００２】
従来、コンロ周りに配され、コンロからの油はねを防止するアルミパネル等のパネルを取り付けるためのパネルの取付装置が知られている。例えば特許文献１には、コンロ周りにアルミパネルを取り付けることができるアルミパネル設置具が開示されている。このアルミパネル設置具は、設置面に吸着されるヨーク部と、アルミパネルの下端を挟持状に支持する保持部と、を備えている。
【先行技術文献】
【特許文献】
【０００３】
【特許文献１】特開２００２−３９５４５号公報
【考案の概要】
【考案が解決しようとする課題】
【０００４】
ところで、コンロ周りにアルミパネルを取り付けるためのパネルの取付装置においては、パネルの取付装置を設置面に設置するために、通常、上記特許文献１のアルミパネル設置具におけるヨーク部のような吸着部材等が必要とされる。また、上記特許文献１のアルミパネル設置具を複数回使用することで、上記保持部においてアルミパネルを挟持する力が劣化した場合、アルミパネル設置具の全体を取り換えなければならず、利便性に欠けるものであった。
【０００５】
本考案は、上記の課題に鑑みて創作されたものであって、吸着部材等を用いることなく設置面に設置でき、利便性にも優れたパネル取付装置を提供することを目的とする。
【課題を解決するための手段】
【０００６】
本考案のパネル取付装置は、コンロ周りに配され、前記コンロからの油はねを防止するパネルを取り付けるためのパネル取付装置であって、前記コンロの下に配され、浅皿状をなす受け皿と、断面視略Ｌ字状をなし、前記受け皿に取り付けられる底板部と、該底板部から前記コンロ周りに立ち上がる立ち上がり部と、を有するＬ字状部材と、一方に開口を有し、その内部に収容空間が形成されたケース部材であって、前記収容空間が前記開口からその奥部にかけて狭まる形状とされ、前記開口が上方に向けられた状態で少なくともその一つの側壁が前記立ち上がり部に取り付けられるケース部材と、前記ケース部材の前記収容空間内に収容される楔状の弾性片と、長方形状の板状をなし、その長辺方向が上下方向に沿った姿勢でその一端部が前記ケース部材の前記収容空間内に挿し立てられるとともに残部が前記開口からその上方へはみ出るものとされる支持板と、を備え、前記支持板の一方の板面に前記パネルが宛がわれた状態で前記パネルの下端が前記弾性片と前記支持板の一方の板面との間に挟持されることを特徴とする。
【０００７】
コンロの下に配される受け皿は、コンロからの吹きこぼれ等を受けるための皿として機能する。そしてこの受け皿がパネル取付装置の一部を構成するため、吸着部材等を用いることなく、パネル取付装置をコンロの周りに設置することができる。さらに、上記のパネル取付装置では、ケース部材の収容空間が開口からその奥部にかけて狭まる形状とされているため、弾性片と支持板とが当該収容空間内に収容されることで、弾性片と支持板は収容空間内においてがたつき無く安定した状態とされる。そして、これらの弾性片と支持板との間にパネルの下端を挟持させることで、パネルが取り付けられる。このため、複数回の使用により弾性片の弾性力が劣化したとしても、弾性片のみを取り換えることで弾性片の弾性力を回復させることができ、利便性にも優れている。このように上記のパネル取付装置は、吸着部材等を用いることなく設置面に設置でき、利便性にも優れている。
【０００８】
上記のパネル取付装置は、前記支持板の他方の板面に対して上下方向に摺動自在に取り付けられる支持棒をさらに備え、前記支持棒の上端に、前記支持板に宛がわれた前記パネルの上端を係止する係止部が設けられていてもよい。
【０００９】
この構成によると、パネルが弾性片と支持板との間に挟持された状態で支持棒の係止部によってパネルの上端を係止することができる。この状態では、支持棒が上下方向に摺動自在とされていることから支持棒自体の重みがパネルの上端に加わるため、パネルの上端を支持棒によって固定することができる。このようにパネルの下端だけでなく上端も固定されることで、パネル取付装置に取り付けられたパネルが位置ずれし難いものとすることができる。
【００１０】
上記のパネル取付装置において、前記ケース部材の対向する２つの側壁の上端縁に、上方に開口する切り欠きが設けられ、前記パネルは、その下端が切り欠き内に挿し立てられた状態で前記弾性片と前記支持板との間に挟持されてもよい。
【００１１】
この構成によると、パネルの下端が切り欠き内に挿し立てられることでパネルの下端縁が切り欠きと当接するため、パネルの下端が弾性片と支持板との間に挟持された状態で当該パネルがその板面方向に位置ずれすることを防止することができる。
【００１２】
上記のパネル取付装置は、前記ケース部材に取り付けられるとともに前記支持板が上下方向に摺動することを規制する規制部材を備えてもよい。
【００１３】
この構成によると、一端部がケース部材に収容された支持板を規制部材によって安定させることができ、これにより、支持板に宛がわれるパネルを安定させることができる。
【００１４】
上記のパネル取付装置において、前記受け皿は、平面に視た大きさが前記コンロよりも大きく、その板面上に前記コンロが載置されてもよい。
【００１５】
この構成によると、受け皿にコンロ自体の重みが加わるため、コンロが錘として機能し、当該受け皿を含むパネル取付装置が位置ずれし難いものとすることができる。
【考案の効果】
【００１６】
本考案によれば、吸着部材等を用いることなく設置面に設置でき、利便性にも優れたパネル取付装置を提供することができる。
【図面の簡単な説明】
【００１７】
【図１】実施形態に係るパネル取付装置にアルミパネルが取り付けられてガスコンロ周りに配された状態を示す斜視図
【図２】図１をガスコンロの手前側から視た正面図
【図３】図１においてガスコンロとアルミパネルを取り除いた状態を示す斜視図
【図４】図２において一つのパネル取付装置を拡大した拡大斜視図
【図５】パネル取付装置の側面図
【図６】パネル取付装置の正面図
【図７】パネル取付装置の背面図
【図８】パネル取付装置の分解斜視図
【考案を実施するための形態】
【００１８】
図面を参照して実施形態を説明する。本実施形態では、単口のガスコンロ（コンロの一例）１の周りに配され、このガスコンロ１からの油はねを防止するアルミパネル（パネルの一例）２を取り付けるためのパネル取付装置１０を例示する。図１では、コの字状に折り曲げられて３つのパネル取付装置１０に取り付けられたアルミパネル２が、ガスコンロ１周りの点火スイッチが設けられた側を除く三方に配された状態を示している。
【００１９】
本実施形態で例示するパネル取付装置１０は、図２に示すように、ガスコンロ１の下に配置される受け皿１２と、受け皿１２上に取り付けられる３つのパネル取付具２０と、から構成される。受け皿１２は、平面視略正方形の浅皿状をなし、平面に視た大きさがガスコンロ１よりも大きいものとされる。受け皿１２は、設置面に設置されるとともにガスコンロ１の下に配置されることでガスコンロ１からの吹きこぼれ等を受けるための皿である。各パネル取付具２０は、受け皿１２の三つの辺の端縁近傍にそれぞれ取り付けられる。受け皿１２には、後述する各パネル取付具２０の取付金具２２を取り付けるためのネジ孔（不図示）が予め設けられている。
【００２０】
各パネル取付具２０は、取付金具（Ｌ字状部材の一例）２２と、金属ケース（ケース部材の一例）２４と、クリップ（弾性片の一例）２６と、支持板２８と、支持棒３０と、固定端子（規制部材の一例）３２と、２つの端子取付部材３４と、を備える。なお以下では、各パネル取付具２０において受け皿１２の内側に向けられた側（ガスコンロ１に向けられた側）を、パネル取付装置１０の前側とする。
【００２１】
取付金具２２は、側面視Ｌ字状をなす金属製部材であり、底板部２２Ａと、底板部２２Ａの一端縁から底板部２２Ａに対して垂直に立ち上がる立ち上がり部２２Ｂと、を有する（図３等参照）。底板部２２Ａには、取付金具２２を受け皿上に取り付けるためのネジ孔（不図示）が予め設けられている。
【００２２】
取付金具２２は、底板部２２Ａのうち立ち上がり部２２Ｂが立ち上がる一端が受け皿１２の内側に向けられた姿勢で当該底板部２２Ａが受け皿１２上にネジ留め等されることで、受け皿１２に対して取り付けられる。また、立ち上がり部２２Ｂの両側方には、外側にタブ状に延びる金具側取付タブ２２Ｃがそれぞれ設けられている。各金具側取付タブ２２Ｃには、ネジ孔２２Ｃ１（図８参照）が設けられている。
【００２３】
金属ケース２４は、一方に長方形状の開口２４Ａを有し、内部に収容空間Ｓが形成された金属製のケース部材である。金属ケース２４は、図４に示すように、側面視三角形状をなし、内部の収容空間Ｓがその開口２４Ａからその奥部にかけて狭まる形状とされている。また、金属ケース２４において対向する２つの側壁２４Ｂには、外側にタブ状に延びるケース側取付タブ２４Ｃがそれぞれ設けられている。各ケース側取付タブ２４Ｃには、ネジ孔２４Ｃ１（図８参照）が設けられている。
【００２４】
金属ケース２４は、上記対向する２つの側壁２４Ｂとは異なる一つの側壁２４Ｄ（図５参照）が、取付金具２２の立ち上がり部２２Ｂの前面に宛がわれるとともに上記開口２４Ａが上方に向けられた状態で、各ケース側取付タブ２４Ｃが取付金具２２の各金具側取付タブ２２Ｃに前後方向に重なり合う形でネジ留めされることで、取付金具２２に対して取り付けられる。
【００２５】
取付金具２２に取り付けられた状態の金属ケース２４において左右側に位置する両側壁（上記対向する２つの側壁）２４Ｂの上端縁には、それぞれ上方に開口する切り欠き２４Ｅが設けられている。各切り欠き２４Ｅは、その切り欠き形状が金属ケース２４の側面視において略矩形状をなすものとされる。
【００２６】
クリップ２６は、図３に示すように、弾性変形可能なクリップ部材であり、側面視において略Ｖ字状の楔状をなしている。クリップ２６は、その一端部に側面視において湾曲状をなす湾曲部２６Ａを有している。クリップ２６は、上記一端部（湾曲部２６Ａ）と他端部との間が広がる方向及び狭まる方向について弾性変形可能とされている。クリップ２６は、その弾性変形方向が前後方向と一致するとともに上記湾曲部２６Ａを後方に向けた姿勢で金属ケース２４の収容空間Ｓ内に収容される。
【００２７】
支持板２８は、細長い長方形状の板状部材であり、長辺方向が上下方向に沿った姿勢でその下端部２８Ａが金属ケース２４の収容空間Ｓ内に収容されたクリップ２６の後方に挿し立てられる。これにより、収容空間Ｓ内に収容された支持板２８の下端部２８Ａの一部がクリップ２６の湾曲部２６Ａと対向した状態となり、支持板２８のうち収容空間Ｓ内に収容されない残部は、上記開口２４Ａから上方にはみ出すものとされる。
【００２８】
図１及び図７等に示すように、支持板２８の後面には、上下方向に貫通する環状をなす複数の支持棒取付部２８Ｂが一直線上に並んだ形で設けられている。各支持棒取付部２８Ｂは、その内径が、後述する支持棒３０の直径よりも大きいものとされる。また、支持板２８の後面であって上記支持棒取付部２８Ｂの下方には、左右方向に貫通する環状をなす複数の端子取付部２８Ｃが一直線上に並んだ形で設けられている。各端子取付部２８Ｃは、その内径が、後述する固定端子３２の直径よりも大きいものとされる。
【００２９】
支持棒３０は、その長さが支持板２８の長辺寸法よりも短いものとされた金属製の棒状部材であり、その一端部にフック状の係止部３０Ａが設けられている。支持棒３０は、係止部３０Ａを上方にした姿勢で支持板２８の後面に設けられた支持棒取付部２８Ｂに挿通され、上下方向に摺動自在とされる。この状態では、支持棒３０の上端に位置する係止部３０Ａが支持板２８の上端に引っ掛かるため、支持棒３０が支持棒取付部２８Ｂから下方へ抜け落ちることが防止される。
【００３０】
固定端子３２は、その長さが支持板２８の短辺寸法よりも長いものとされた金属製の端子状部材であり、支持板２８の後面に設けられた端子取付部２８Ｃに挿通される。２つの端子取付部材３４は、それぞれ細長い長方形状をなす板状部材であり、一端部にその板面を貫通するネジ孔３４Ａが設けられ（図７参照）、他端部に端子取付部材３４の短辺方向に貫通する挿通孔３４Ｂが設けられている。
【００３１】
各端子取付部材３４は、その長辺方向がパネル取付装置１０の上下方向に一致する姿勢で、ネジ孔３４Ａが取付金具２２の立ち上がり部２２Ｂに設けられた金具側取付タブ２２Ｃの後面に重なり合う形で当該金具側取付タブ２２Ｃに対してそれぞれネジ留めされることで、取付金具２２に対して取り付けられる。
【００３２】
各端子取付部材３４に設けられた挿通孔３４Ｂには、固定端子３２の両端がそれぞれ挿通される。これにより固定端子３２は、支持板２８の支持棒取付部２８Ｂと端子取付部材３４の挿通孔３４Ｂとによって支持された状態となる。固定端子３２は、このような形で支持板２８の後面に配されることで、下端部２８Ａが金属ケース２４の収容空間Ｓ内に挿し立てられた状態の支持板２８が上下方向に摺動することを規制する機能を果たす。
【００３３】
本実施形態のパネル取付装置１０は以上のような構成であって、次に図８を参照してパネル取付装置１０の組付方法について説明する。パネル取付装置１０を組付ける際は、まず、受け皿１２における三つの辺の端縁近傍に、それぞれ取付金具２２の底板部２２Ａをネジ留めによって取り付ける。
【００３４】
次に、取付金具２２の金具側取付タブ２２Ｃの前面に金属ケース２４のケース側取付タブ２４Ｃを重ね合わせるとともに、金具側取付タブ２２Ｃの後面に端子取付部材３４のネジ孔３４Ａを重ね合わせる。そして、金具側取付タブ２２Ｃとケース側取付タブ２４Ｃと端子取付部材３４のネジ孔２２Ｃ１、２４Ｃ１、３４Ａ同士をネジ留めし、取付金具２２に対して金属ケース２４と端子取付部材３４とをそれぞれ取り付ける。
【００３５】
次に、支持板２８の下端部２８Ａを金属ケース２４の収容空間Ｓ内に収容して挿し立て、固定端子３２を端子取付部材３４に設けられた挿通孔３４Ｂ及び支持板２８に設けられた端子取付部２８Ｃに挿通する。これにより、下端部２８Ａが金属ケース２４の収容空間Ｓ内に挿し立てられた支持板２８が、前方に傾くことなく直立した状態となる。
【００３６】
次にパネル取付装置１０の使用方法について説明する。パネル取付装置１０を使用する際は、まず、受け皿１２の板面上にアルミパネル２で囲む対象のガスコンロ１を載置して、３つのパネル取付具２０がガスコンロ１周りの三方側にそれぞれ位置する形とする。これにより、各パネル取付具２０の取付金具２２における立ち上がり部２２Ｂがガスコンロ１周りに立ち上がる形となる。また、ガスコンロ１が受け皿１２上に載置されることで、ガスコンロ１自体の重みによって、受け皿１２及び受け皿１２上に取り付けられたパネル取付具２０がガスコンロ１に対して位置ずれし難いものとなる。即ち、ガスコンロ１がパネル取付装置１０の位置ずれを抑制する錘としての機能を果たす。
【００３７】
次に、コの字状に折り曲げた設置対象となるアルミパネル２の下端を、３つのパネル取付具２０のそれぞれについて、金属ケース２４の両側壁２４Ｄに設けられた各切り欠き２４Ｅ内に挿し立てる。次に、各パネル取付具２０の金属ケース２４の収容空間Ｓ内に、クリップ２６をその湾曲部２６Ａが支持板２８の前面と対向するような姿勢（湾曲部２６Ａを後方に向けた姿勢）で収容する。このとき、クリップ２６に力を付与することで、その一端部と他端部との間が狭まる方向に弾性変形させながらクリップ２６を収容空間Ｓ内に収容する。
【００３８】
次に、収容空間Ｓ内に収容されたクリップ２６について、クリップ２６に付与している力を解除する。するとクリップ２６は、弾性復帰力によってその一端部（湾曲部２６Ａ）と他端部との間が広がる方向に弾性変形する。その結果、アルミパネル２の下端がクリップ２６の湾曲部２６Ａによって押圧され、アルミパネル２の下端がクリップ２６と支持板２８との間に弾性的に挟持される（図２等参照）。
【００３９】
次に、支持棒３０を支持板２８の後面に設けられた支持棒取付部２８Ｂに挿通し、支持棒３０の係止部３０Ａをアルミパネル２の上端に引っ掛ける。その結果、アルミパネル２の上端が支持棒３０によって支持される。なお、上述したアルミパネル２の下端を挟持する手順と上述したアルミパネル２の上端を支持する手順は、逆に行ってもよい。
【００４０】
以上の手順によって、パネル取付装置１０を組み付けることができるとともに、パネル取付装置１０の各パネル取付具２０に設置対象のアルミパネル２を取り付けて、ガスコンロ１の周りにアルミパネル２を配することができ、ガスコンロ１からの油はね等を取り付けたアルミパネル２によって防止することができる。
【００４１】
以上説明したように本実施形態に係るパネル取付装置１０によれば、ガスコンロ１の下に配される受け皿１２は、ガスコンロ１からの吹きこぼれ等を受けるための皿として機能する。そしてこの受け皿１２がパネル取付装置１０の一部を構成し、ガスコンロ１を囲む形で受け皿１２上に各パネル取付具２０が取り付けられるため、吸着部材等を用いることなく設置面に設置でき、パネル取付装置１０をガスコンロ１の周りに設置することができる。
【００４２】
さらに、本実施形態のパネル取付装置１０では、金属ケース２４の収容空間Ｓが開口２４Ａからその奥部にかけて狭まる形状とされているため、クリップ２６と支持板２８とが当該収容空間Ｓ内に収容されることで、クリップ２６と支持板２８は収容空間Ｓ内においてがたつき無く安定した状態とされる。そして、これらのクリップ２６と支持板２８との間にアルミパネル２の下端を挟持させることで、パネル取付具２０にアルミパネル２が取り付けられる。このため、複数回の使用によりクリップ２６の弾性力が劣化したとしても、クリップ２６のみを取り換えることでクリップ２６の弾性力を回復させることができ、当該パネル取付具２０に再びアルミパネル２を取り付けることができるため、利便性にも優れている。以上のように本実施形態のパネル取付装置１０は、吸着部材等を用いることなく設置面に設置でき、利便性にも優れている。
【００４３】
また本実施形態のパネル取付装置１０は、支持板２８の後面に対して上下方向に摺動自在に取り付けられる支持棒３０をさらに備えている。そして、支持棒３０の上端に、支持板２８に宛がわれたアルミパネル２の上端を係止する係止部３０Ａが設けられている。このような構成とされていることで、アルミパネル２がクリップ２６と支持板２８との間に挟持された状態で支持棒３０の係止部３０Ａによってアルミパネル２の上端を係止することができる。この状態では、支持棒３０が上下方向に摺動自在とされていることから支持棒３０自体の重みがアルミパネル２の上端に加わるため、アルミパネル２の上端を支持棒３０によって固定することができる。このようにアルミパネル２の下端だけでなく上端も固定されることで、パネル取付装置１０に取り付けられたアルミパネル２が位置ずれし難いものとすることができる。
【００４４】
また本実施形態のパネル取付装置１０では、金属ケース２４において左右側に位置する両側壁２４Ｄの上端縁に、上方に開口する切り欠き２４Ｅがそれぞれ設けられている。そして、アルミパネル２は、その下端が切り欠き２４Ｅ内に挿し立てられた状態でクリップ２６と支持板２８との間に挟持される。このような構成では、アルミパネル２の下端が切り欠き２４Ｅ内に挿し立てられることでアルミパネル２の下端縁が切り欠き２４Ｅと当接するため、アルミパネル２の下端がクリップ２６と支持板２８との間に挟持された状態で当該アルミパネル２がその板面方向に位置ずれすることを防止することができる。
【００４５】
さらに、このようにアルミパネル２の下端が切り欠き２４Ｅ内に挿し立てられる構成では、図２に示すように、その下端がガスコンロ１の上面１Ａよりも低い位置となるようにアルミパネル２がパネル取付具２０に取り付けられるので、パネル取付装置１０に取り付けられたアルミパネル２によってガスコンロ１からの油はね等を効果的に防止することができる。
【００４６】
また本実施形態のパネル取付装置１０は、金属ケース２４に取り付けられるとともに支持板２８が上下方向に摺動することを規制する固定端子３２を備えている。このような構成とされていることで、下端部２８Ａが金属ケース２４の収容空間Ｓ内に収容された支持板２８を固定端子３２によって安定させることができ、これにより、支持板２８に宛がわれるアルミパネル２を安定させることができる。
【００４７】
また本実施形態のパネル取付装置１０では、受け皿１２は、平面に視た大きさがガスコンロ１よりも大きく、その板面上にガスコンロ１が載置される。このような構成とされていることで、受け皿１２にガスコンロ１自体の重みが加わるため、ガスコンロ１が錘として機能し、受け皿１２が位置ずれし難いものとすることができる。これにより、ガスコンロ１の周りに設置される各パネル取付具２０についても位置ずれし難いものとすることができる。
【００４８】
また本実施形態のパネル取付装置１０は、構成の一部に受け皿１２を備えるため、吹きこぼれ等を受ける部材を有しないコンロに対して使用することで、吹きこぼれ等を効果的に防止することができる。
【００４９】
また本実施形態のパネル取付装置１０を狭い部屋等で使用する場合には、防火上の理由からも有用である。
【００５０】
また本実施形態のパネル取付装置１０は、受け皿ごと持ち運ぶことで、室内だけでなく屋外においても手軽に使用することができる。
【００５１】
また本実施形態のパネル取付装置１０は、クリップ２６の弾性力がコンロからの熱によって劣化したとしても、クリップ２６に対して焼き入れを行うことで当該クリップ２６を再利用することができるので、利便性に優れている。
【００５２】
なお、レアアース磁石の磁力を利用して設置面に吸着させる構成を備える従来のパネル取付装置では、その設置面が金属製であることが必要となるが、上述したように本実施形態のパネル取付装置１０は、レアアース磁石を用いることがないため、設置面が金属製でなくとも取り付けることができる。
【００５３】
上記の実施形態の変形例を以下に列挙する。
（１）上記の実施形態では、平面に視た大きさがガスコンロよりも大きいものとされた受け皿を備える構成を例示したが、受け皿の大きさは限定されない。平面に視た大きさがガスコンロよりも小さいものとされた受け皿を備える構成であってもよく、この場合、立ち上がり部がガスコンロ周りに立ち上がるように取付金具が受け皿に取り付けられればよい。
【００５４】
（２）上記の実施形態では、３つのパネル取付具がガスコンロの周りにそれぞれ取り付けられる構成を例示したが、受け皿上に取り付けられるパネル取付具の配置や数等については限定されない。
【００５５】
（３）上記の実施形態では、単口のガスコンロの周りにアルミパネルを配する例を示したが、アルミパネルを配する対象となるコンロが例えばカセット式のコンロであってもよく、鋳物コンロや電気コンロ等であってもよい。
【００５６】
（４）上記の実施形態では、パネル取付装置に取り付けられるパネルとしてアルミパネルを例示したが、パネル取付装置に取り付けられるパネルはアルミパネルに限定されるものではない。
【００５７】
（５）上記の実施形態では、取付金具が、底板部のうち立ち上がり部が立ち上がる一端が受け皿の内側に向けられた姿勢で受け皿に取り付けられた構成を例示したが、取付金具が逆向きの姿勢、即ち底板部のうち立ち上がり部が立ち上がる一端が受け皿の外側に向けられた姿勢で受け皿に取り付けられた構成であってもよい。
【符号の説明】
【００５８】
１…ガスコンロ
２…アルミパネル
１０…パネル取付装置
１２…受け皿
２０…パネル取付具
２２…支持金具
２２Ａ…底板部
２２Ｂ…立ち上がり部
２２Ｃ…金具側取付タブ
２２Ｃ１、２４Ｃ１、３４Ａ…ネジ孔
２４…金属ケース
２４Ａ…開口
２４Ｃ…ケース側取付タブ
２４Ｅ…切り欠き
２６…クリップ
２６Ａ…湾曲部
２８…支持板
２８Ａ…（支持板の）下端部
３０…支持棒
３０Ａ…係止部
３２…固定端子
３４…端子取付部材
３４Ｂ…挿通孔
Ｓ…収容空間
【図１】
0003189064.tif 000003
【図２】
0003189064.tif 000004
【図３】
0003189064.tif 000005
【図４】
0003189064.tif 000006
【図５】
0003189064.tif 000007
【図６】
0003189064.tif 000008
【図７】
0003189064.tif 000009
【図８】
0003189064.tif 000010